【手続補正書】
【提出日】平成21年6月15日(2009.6.15)
【手続補正１】
【補正対象書類名】特許請求の範囲
【補正対象項目名】全文
【補正方法】変更
【補正の内容】
【特許請求の範囲】
【請求項１】
式Ｉ
【化１】
2008544322.tif 000001
［式中、
＋Ｙ１＝は以下の構造：
【化２】
2008544322.tif 000002
の１つにより表示され、
Ｙ２−は以下の構造：
【化３】
2008544322.tif 000003
の１つにより表示され、
ｎは０、１、２または３であり、
ｐおよびｑの各々は０、１または２であり、
Ｒ１およびＲ２は独立して場合により置換されていてもよい炭化水素基であり、或いは該Ｒ１、Ｒ２、ＲｄまたはＲａ基の２つは一緒になって環式構造を形成するのに必要な原子を含んでなり、
Ｒｄ基の少なくとも１つはＩＲ−照射または熱への露出により誘発される化学反応により該Ｒｄより強い電子−供与体である基に転換される基であるか、或いは
Ｒａ基の少なくとも１つはＩＲ−照射または熱への露出により誘発される化学反応により該Ｒａより強い電子−供与体である基に転換される基であり、
他のＲｄおよびＲａ基は独立して水素原子、ハロゲン原子、−Ｒｅ、−ＯＲｆ、−ＳＲｇおよび−ＮＲｕＲｖよりなるリストから選択される基により表示され、ここでＲｅ、Ｒｆ、Ｒｇ、ＲｕおよびＲｖは独立して場合により置換されていてもよい脂肪族炭化水素基または場合により置換されていてもよい（ヘテロ）アリール基であり、そして
該転換が４００〜７００ｎｍの間の該染料の統合した光吸収の増加を与える
ことにより特徴づけられる］
に従う構造を有するＩＲ染料を含んでなる感熱性像形成要素。
【請求項２】
化学反応により転換される該Ｒｄ基が
【化４】
2008544322.tif 000004
よりなるリストから選択され、
ここで
ａ、ｂ、ｃおよびｄが独立して０または１であり、
−Ｌ−が結合基であり、
Ｒ１７が水素原子、場合により置換されていてもよい脂肪族炭化水素基または場合により置換されていてもよい（ヘテロ）アリール基であり、或いはＲ１７およびＲ３、Ｒ１７およびＲ５、またはＲ１７およびＲ１１が一緒になって環式構造を形成するのに必要な原子を含んでなり、
Ｒ４が−ＯＲ１０、−ＮＲ１３Ｒ１４または−ＣＦ３であり、
ここで
Ｒ１０が場合により置換されていてもよい（ヘテロ）アリール基またはアルファ−分枝鎖状の脂肪族炭化水素基であり、
Ｒ１３およびＲ１４が独立して水素原子、場合により置換されていてもよい脂肪族炭化水素基または場合により置換されていてもよい（ヘテロ）アリール基であり、或いはＲ１３およびＲ１４が一緒になって環式構造を形成するのに必要な原子を含んでなり、
Ｒ３が水素原子、場合により置換されていてもよい脂肪族炭化水素基または場合により置換されていてもよい（ヘテロ）アリール基であり、或いはＲ３がＲ１０、Ｒ１３およびＲ１４の少なくとも１つと一緒になって環式構造を形成するのに必要な原子を含んでなり、
Ｒ６が場合により置換されていてもよい脂肪族炭化水素基または場合により置換されていてもよい（ヘテロ）アリール基、−ＯＲ１０、−ＮＲ１３Ｒ１４または−ＣＦ３であり、ここでＲ１０、Ｒ１３およびＲ１４がＲ４におけるものと同じ意味を有し、
Ｒ５が水素原子、場合により置換されていてもよい脂肪族炭化水素基または場合により置換されていてもよい（ヘテロ）アリール基であり、或いはＲ５がＲ１０、Ｒ１３およびＲ１４の少なくとも１つと一緒になって環式構造を形成するのに必要な原子を含んでなり、
Ｒ１１、Ｒ１５およびＲ１６が独立して水素原子、場合により置換されていてもよい脂肪族炭化水素基または場合により置換されていてもよい（ヘテロ）アリール基であり、或いはＲ１５およびＲ１６が一緒になって環式構造を形成するのに必要な原子を含んでなり、
Ｒ１２が場合により置換されていてもよい脂肪族炭化水素基または場合により置換されていてもよい（ヘテロ）アリール基であり、
Ｒ７およびＲ９が独立して水素原子または場合により置換されていてもよい脂肪族炭化水素基であり、
Ｒ８が−ＣＯＯ−または−ＣＯＯＲ８’であり、ここでＲ８’が水素原子、アルカリ金属カチオン、アンモニウムイオンまたはモノ−、ジ−、トリ−もしくはテトラ−アルキルアンモニウムイオンであり、
Ｒ１８が場合により置換されていてもよい（ヘテロ）アリール基またはアルファ−分枝鎖状の脂肪族炭化水素基である請求項１に記載の感熱性像形成要素。
【請求項３】
該ＩＲ染料が式ＩＩ、ＩＩＩまたはＩＶ
【化５】
2008544322.tif 000005
［式中、
Ａｒ１、Ａｒ２およびＡｒ３は独立して場合により置換されていてもよい芳香族炭化水素基または場合により置換されていてもよい縮合ベンゼン環を有する芳香族炭化水素基であり、
Ｗ１およびＷ２は独立して硫黄原子または−ＣＭ１０Ｍ１１基であり、ここでＭ１０およびＭ１１は独立して場合により置換されていてもよい脂肪族炭化水素基または場合により置換されていてもよい（ヘテロ）アリール基であり、或いはＭ１０およびＭ１１は一緒になって環式構造を形成するのに必要な原子を含んでなり、
Ｍ１およびＭ２は独立して場合により置換されていてもよい脂肪族炭化水素基であり、或いはＭ１およびＭ２は一緒になって場合により置換されていてもよい環式構造を形成するのに必要な原子を含んでなり、
Ｍ３およびＭ４は独立して場合により置換されていてもよい脂肪族炭化水素基であり、
Ｍ５、Ｍ６、Ｍ７、Ｍ８、Ｍ１６およびＭ１７は独立して水素原子、ハロゲン原子または場合により置換されていてもよい脂肪族炭化水素基であり、
Ｗ３は硫黄原子または−Ｃ（Ａ３）＝Ｃ（Ａ４）−基であり、
Ｍ１２およびＭ１３は独立して場合により置換されていてもよい脂肪族炭化水素基または場合により置換されていてもよい（ヘテロ）アリール基であり、或いは該Ｍ１２、Ｍ１３、Ａ２またはＡ４の２つは一緒になって少なくとも１つの環式構造を形成するのに必要な原子を含んでなり、
Ｗ４は硫黄原子または−Ｃ（Ａ７）＝Ｃ（Ａ８）−基であり、
Ａ１〜Ａ８は独立して水素原子、ハロゲン原子、場合により置換されていてもよい脂肪族炭化水素基または場合により置換されていてもよい（ヘテロ）アリール基であり、或いはＡ１およびＡ２、Ａ３およびＡ４、Ａ５およびＡ６、または、Ａ７およびＡ８の各々は一緒になって環式構造を形成するのに必要な原子を含んでなり、
Ｍ１４およびＭ１５は独立して場合により置換されていてもよい脂肪族炭化水素基または場合により置換されていてもよい（ヘテロ）アリール基であり、或いは該Ｍ１４、Ｍ１５、Ａ５またはＡ７の２つは一緒になって少なくとも１つの環式構造を形成するのに必要な原子を含んでなり、そして
Ｍ９は化学反応により転換されるＲｄ基である］
の構造を有する前記請求項のいずれかに記載の感熱性像形成要素。
【請求項４】
Ｍ１およびＭ２が一緒になって場合により置換されていてもよい５−員環を形成するのに必要な原子を含んでなる請求項３に記載の感熱性像形成要素。
【請求項５】
式ＩＩ、ＩＩＩまたはＩＶの該ＩＲ染料が、−ＣＯ２Ｈ、−ＣＯＮＨＳＯ２Ｒｈ、−ＳＯ２ＮＨＣＯＲｉ、−ＳＯ２ＮＨＳＯ２Ｒｊ、−ＰＯ３Ｈ２、−ＯＰＯ３Ｈ２、−ＯＳＯ３Ｈもしくは−ＳＯ３Ｈ基よりなるリストから選択される少なくとも１つのアニオン性基もしくは酸基またはそれらの対応する塩を有し、ここでＲｈ、ＲｉおよびＲｊは独立してアリールまたはアルキル基である請求項３または４に記載の感熱性像形成要素。